(57)【要約】      （修正有）【課題】金属アレルギーの発生を抑え、磁気及びネガティブイオン効果も含めその持続性の高い、自然人及び、犬、猫ペット用健康磁気ネックレスを得る。【解決手段】本考案は紐状に成型し、その芯方向と直交する方向であって磁極が芯と平行に直線状、又は芯を中心に螺旋状になるように着磁せしめたプラスチック磁石で、その成分組成が希土類系乃至フェライト系若しくは希土類プラス、フェライトのハイブリット磁石を特徴とする組成体（１）（２）を用いたので、金属が直接体表面に触れることがなく、金属アレルギー症状を起こすことがない。また法規制３７０Ｂｑ毎グラム以内でラジウム・トリウム・セレニウムほか微量元素のコバルト・ゲルマニウムの何れか１種類乃至２種類以上の微細パウダーを含み、これより発現する微量放射線ホルミシスは、生体を刺激し各種ホルモンの分泌を促し、恒常性維持機能ホメオスターシスを向上させる働きがある。【選択図】図１
0003118545.tif 000002
【実用新案登録請求の範囲】
【請求項１】
プラスチック磁石にして、その成分組成が希土類系乃至フェライト系若しくは希土類プラス、フェライトのハイブリット磁石を特徴とする組成体を紐状に成型し、その芯方向と直交する方向であって、磁極の配列が芯と平行に直線状乃至芯を中心に螺旋状になるように着磁し、有機物質からなる筒状体で被覆したことを特徴とする、自然人及び犬・猫ペット用健康磁気ネックレス。
【請求項２】
有機物質からなる筒状体が動物乃至人工の皮革、又は、動植物乃至高分子樹脂の繊維、糸、布地、或いは高分子樹脂のシート又は静電植毛から成る筒状組成体を特徴とする請求項１の自然人及び犬・猫ペット用健康磁気ネックレス。
【請求項３】
プラスチック磁石にして、磁性体の持つ磁束密度が筒状体の表面に於いて１ｃｍ３当たり３５〜１００ｍＴである事と、一般的に、自然環境での最良と言われている、森林・川辺・滝壷の周辺に於ける、１ｃｍ３当たり約５００〜３０００個のネガティブイオンが存在していることから、自然環境と同等で理想的な数値のネガティブイオンが、１ｃｍ３当たり約５００〜３０００個、放出していることを特徴とする請求項１の自然人及び犬・猫ペット用健康磁気ネックレス。
【請求項４】
プラスチック磁石にして、その組成体に微量放射性物質の法規制３７０Ｂｑ毎グラム以内であり、ラジウム・トリウム・セレニウム・ほか微量元素のコバルト・ゲルマニウムの何れか１種類乃至２種類以上の微細パウダーを含み、是より産生する、微量放射線ホルミシス（ｈｏｒｍｅｓＩｓ：ギリシャ語で刺激）乃至自然環境と同等で理想的な数値のネガティブイオンが、１ｃｍ３当たり約５００〜３０００個、放出していることと、さらに、トルマリン鉱石微細パウダーを成分組成に加えて遠赤外線効果をさらに発現せしめたことを、特徴とした請求項１の自然人及び犬・猫ペット用健康磁気ネックレス。
【考案の詳細な説明】
【技術分野】
【０００１】  本考案は磁石より発現する磁気及びネガティブイオンを応用した犬・猫ペット用健康磁気ネックレスに関する。
【背景技術】
【０００２】  従前から磁石を応用した健康磁気ネックレスは多数存在するが、いずれも棒状又は球状の固体磁石を適当な方法で、例えば鎖等で繋ぎ合わせ接続具に装飾に取り付けたものであって、美しく見せる為に鍍金または塗装されていた。
【考案の開示】
【０００３】  本考案は、紐状プラスチック磁石にして、その成分組成が希土類系乃至フェライト系、若しくは希土類プラス、フェライトのハイブリット磁石をその組成体に法規制３７０Ｂｑ毎グラム以内で微量放射性物質の、ラジウム・トリウム・セレニウムほか微量元素のコバルト・ゲルマニウムの何れか１種類乃至２種類以上の微細パウダーを含み、これより発現する微量放射線ホルミシス（ｈｏｒｍｅｓＩｓ：ギリシャ語で刺激）は、生体を刺激し各種ホルモンの分泌を促し、生体機能の増進や細胞賦活作用をもち、恒常性維持機能ホメオスターシスを向上させる働きがある。他にも自然環境と同等で理想的な数値のネガティブイオンが、１ｃｍ３当たり約５００〜３０００個、放出していることと、さらに、トルマリン微細パウダーを成分組成に加えて遠赤外線効果をさらに発現せしめたことを特徴とした。この組成体を、有機物質の筒状体で被覆したから従前の健康磁気装身具のような金属が、直接体表面に触れることがなく、したがって金属アレルギーを起こすことを無くすことができる。また磁力を適度の強さとし、一様に近い磁気が連続して体表面に当たるようにせしめたので、ネガティブイオン効果も含め磁気の効能を更に向上することができることを奏する。
【考案が解決しようとする課題】
【０００４】  これから塗装したものは別として、鍍金したものは表面が金、又はプラチナなどの金属であり、皮膚の弱い特異体質の自然人及び、ペットなどに対しては、金属アレルギー症状を引き起こすこともあり、また焼結合金の磁石を用いるため磁束密度の保持力が弱く磁気効果が低下しやすかった。また磁気が体表面に作用するのは局所的であり、その効果も局所的で十分な効果が得られなかった。よって本考案は、これらの問題点を解決するためになされたものであって、その目的は金属アレルギーの発生を抑え、磁気及びネガティブイオン効果も含めその持続性の高い、自然人及び、犬・猫ペット用健康磁気ネックレスを得ようとするものである。
【課題を解決するための手段】
【０００５】  本考案は、組成体を紐状に成型しその磁極の配列が、芯方向と直交する方向であって芯と平行に、又は芯を中心に螺旋状になるように着磁し、有機物質からなる筒状体で被覆したことを特徴とする。そして磁気の強さが筒状体の表面に於いて１ｃｍ３当たり３５〜１００ｍＴである事と、一般的に自然環境での最良と言われている、森林・川辺・滝壷の周辺に於ける、１ｃｍ３当たり約５００〜３０００個のネガティブイオンが存在していることから、自然環境と同等で理想的な数値のネガティブイオンが、１ｃｍ３当たり約５００〜３０００固、放出し、有機物質の筒状体が動物乃至人工の皮革、又は動植物乃至高分子樹脂の繊維、糸、布地、或いは高分子樹脂のシート、又は静電植毛からなることを特徴とする。従前の健康磁気ネックレスのような金属が、直接体表面に触れることがなく、したがって金属アレルギーを起こすことを無くすことができる。また磁力を適度の強さとし、一様に近い磁気が連続して体表面に当たるようにせしめるので、ネガティブイオン効果も含め磁気の効能を更に向上することができる。
【考案の効果】
【０００６】  本考案は、上記したような構成になっており、紐状プラスチック磁石にして、その成分組成が希土類系乃至フェライト系若しくは希土類プラス、フェライトのハイブリット磁石を特徴とする組成体を有機物質の筒状体で被覆したから、従来品のような金属が直接体表面に触れることがなく、したがって金属アレルギーを起こすことを無くすことができる。また磁力を適度の強さとし、一様に近い磁気が連続して体表面に当たるようにせしめたので、ネガティブイオン効果も含め磁気の効能を更に向上することができることを奏する。
【考案の実施するための最良の形態】
【０００７】  本考案は、紐状に成型されたプラスチック磁石であり断面は円形乃至それに近い楕円形である。その成分組成が希土類系乃至フェライト系若しくは希土類プラス、フェライトのハイブリット系を特徴とする組成材料を押し出し機等で押し出して紐状に成型し、磁極の配列が芯と直交する方向であって、芯と平行に又は芯を中心に螺旋状になるように着磁する。着磁の強さ乃至ネガティブイオン発生量は後記する本考案の実施例１の表面磁束で１ｃｍ３当たり３５〜１００ｍＴ及び１ｃｍ３当たり５００〜３０００粒ネガティブイオン放出とする。磁極の配列は紐の芯に対し平行な直線状でも良いが、螺旋状とすれば、紐の体表面に当たる位置によって磁気の強さが比較的に変化が少なく、蝶旋状にすることが望ましい。
【実施例】
【０００９】  図１（ｂ）に於いて、（２）は繊維、糸等を編んだ筒状体で有る。糸は金糸銀糸を混ぜても良いし、また種々の色に着色した糸でもよい。また高分子樹脂、例えば、ナイロン、ポリエステルその他の繊維や糸でもよいし、スチレンやスチロール等の静電植毛のチューブであってもよい。【００１０】  図１（ｃ）に於いては、接続具（９）を表現している。紐状プラスチック磁石（１）を任意の長さとし、同様の筒状体（２）の中を通す。次にその両端を接続具（９）に配するインナーケース（６）をＡ方向に押してスプリングテンションを緩め、接続孔は開き、紐状プラスチック磁石（１）及び筒状体（２）を嵌合
0003118545.tif 000003
チック磁石（１）と被覆する筒状体（２）を嵌合した接続具（９）で任意の長さに調整する。【００１１】  図２は、完成した自然人及び犬・猫ペット用健康磁気ネックレスの全体図であ
0003118545.tif 000004
を任意の長さに使用するには、接続具（９）に配するインナーケース（６）をＡ方向に押してスプリングテンション（７）を緩め適宜ながさを調整する。ブレスレット乃至アンクレットに使用の場合は、紐状プラスチック磁石（１）と筒状体（２）とを嵌合した接続具（９）で任意の長さに短く締めこみ調整をする。引
0003118545.tif 000005
には、真珠や宝石を用いた装飾を取り付けても良い。【００１２】  使用するときは、首乃至手足首又は胴体の周りに紐状プラスチック磁石（１）を挿入した筒状体（２）を予めループ状に折り曲げて接続具（９）で交差するように嵌合した。接続具は、アウターケース（５）及びインナーケース（６）をスプリングテンション（７）を用い挿入嵌合した。インナーケース（６）をＡ方向
0003118545.tif 000006
ができ、インナーケース（６）から手を放せば、スプリングテンション（７）の作用で接続孔（８）が閉じ、接続具（９）に固定されてループが形成される。このようにして、自然人及び犬・猫ペット用健康磁気ネックレスとして、任意的に装着することができる。
【図面の簡単な説明】
【００１３】  以下、図１図２は当該考案の実施の形態で、これはあくまで１実施例であり本考案を表現したもので、下記の例によって本考案が実施例だけに限定される物ではない。【図１】（ａ）は紐状に成型されたプラスチック磁石の外観斜視図である。（ｂ）は有機物質よりなる筒状体の外観斜視図である。（ｃ）は完成した自然人及び犬・猫ペット用健康磁気ネックレスの接続具である。
【図２】完成した自然人及び犬・猫ペット用健康磁気ネックレスの側面図である。
【符号の説明】
【００１４】（１）  紐状に成型されたプラスチック磁石
（２）  紐状プラスチック磁石１を被覆する筒状体
（９）  接続具
【図１】
0003118545.tif 000007
【図２】
0003118545.tif 000008